(57)【特許請求の範囲】
【請求項１】
センサによる監視エリア内への侵入監視を行う警戒モードおよび該侵入監視の少なくとも一部を行わない解除モードを有し、前記監視エリア内への入場を利用者に対して物理的に許可または禁止する入場規制部を制御する警備システムであって、
前記監視エリア外に設けられ、利用者の生体情報を取得する生体情報取得部と、
前記監視エリア外に設けられ、利用者によって入力された識別コードを取得する第１識別コード取得部と、
前記監視エリア内に設けられ、利用者によって入力された識別コードを取得する第２識別コード取得部と、
あらかじめ登録された正規利用者の生体情報、第１識別コードおよび第２識別コードを記憶する記憶部と、
前記生体情報取得部が取得した生体情報と前記記憶部に記憶された生体情報とが一致するか否かに基づいて、利用者が正規利用者であるか否かを認証する生体認証部と、
前記第１識別コード取得部が取得した識別コードと前記記憶部に記憶された前記第１識別コードとが一致するか否かに基づいて、利用者が前記正規利用者であるか否かを認証する第１識別コード認証部と、
前記第２識別コード取得部が取得した識別コードと前記記憶部に記憶された前記第２識別コードとが一致するか否かに基づいて、利用者が前記正規利用者であるか否かを認証する第２識別コード認証部と、
前記警戒モード中、前記生体認証部によって利用者が前記正規利用者であると認証されると、前記監視エリア内への入場を許可するように前記入場規制部を制御するとともに前記警戒モードから前記解除モードに切り替え、前記警戒モード中、前記第１識別コード認証部によって前記第１識別コード取得部が取得した識別コードにより利用者が前記正規利用者であると認証された場合には、前記解除モードに切り替えずに前記監視エリアへの入場を許可するように前記入場規制部を制御するとともに、前記第２識別コード認証部によって前記第２識別コード取得部が取得した識別コードにより利用者が前記正規利用者であると認証された場合に前記解除モードに切り替える警備制御部と、を有することを特徴とした警備システム。
【請求項２】
前記警備制御部は、
前記解除モード中、利用者による警戒指示の入力とともに、前記生体認証部、前記第１識別コード認証部または前記第２識別コード認証部のいずれかによって利用者が前記正規利用者であると認証された場合に、前記解除モードから前記警戒モードに切り替える、請求項１に記載の警備システム。
【発明の詳細な説明】
【技術分野】
【０００１】
本発明は、監視エリア内への侵入を監視する警備システムに関する。
【背景技術】
【０００２】
特定の監視エリア内への侵入を監視する警備システムなどにおいて、利用者が正規利用者であることを確認する本人確認のための認証装置が使われている。近年、この本人確認のための認証装置では、従来のパスワードやＩＤカードなどを照合する認証方式に代わって、利用者の指紋、静脈パターン、虹彩または顔などの生体情報を照合する生体認証方式が普及している。
【０００３】
生体情報は、個人に特有の身体的特徴を表す情報であり、利用者にとってパスワードのように記憶したりＩＤカードのように携行したりする必要がないという利便性がある。したがって、生体情報は、忘却、紛失、盗難などの可能性が低く、漏洩や盗難によって他人に不正使用される可能性も低い。このため、生体情報を利用した認証は、パスワードやＩＤカードを利用した認証に比べて本人確認の認証確度が高いので、生体認証を利用した警備システムの安全性は高くなる。
【０００４】
例えば、特許文献１には、指の静脈パターンによって生体認証を行う静脈認証装置を使用してマンションなどの入退室管理を行うセキュリティシステムが記載されている。このセキュリティシステムは、静脈認証装置によって本人確認のための認証を行い、その認証結果に従って、集合玄関、通用口、エレベータ、セキュリティの解除または非解除の制御を行う。
【０００５】
また、特許文献２には、インターホン装置の室外機で取得された来訪者の画像情報や音声情報から抽出される生体情報に基づいて本人確認の認証を行うホームセキュリティシステムが記載されている。このホームセキュリティシステムでは、この認証結果に従って、インターホンによる交信の許可または禁止、セキュリティの解除または非解除などの制御を行う。
【先行技術文献】
【特許文献】
【０００６】
【特許文献１】特開２０１０−１５３２０号公報
【特許文献２】特開２００８−２９３４３７号公報
【発明の概要】
【発明が解決しようとする課題】
【０００７】
上述したように、生体情報は、本人を高い確度で判定できる本人固有の情報であるが、絶対に変化しない恒常的な情報ではない。例えば、怪我などによって直接的に指や顔などの生体情報が変化してしまうことがある。また、怪我に伴う絆創膏、包帯または眼帯などの装身具によって指や眼など生体認証に利用する身体の一部が覆い隠されてしまうこともある。これらの場合、生体認証による本人確認を正確に行うことは困難である。
【０００８】
指紋を例に説明すると、冬の乾燥期に、指の肌荒れやあかぎれなどによって指紋が傷つき、指紋の隆線が分断されたりかすれたりして指紋の特徴情報が一時的に変化することがある。この場合、本人の指で指紋を照合しても本人でないと判定されて警備対象エリアへの入場を拒否されてしまう（本人拒否）ことが起こりうる。しかし、指紋が傷ついたときでも本人であると認証されるように指紋一致の判定基準を緩めると、他人でも入場を許可してしまう（他人受入）可能性が高くなり、生体認証による安全性が低下する。
【０００９】
そこで、本人確認のための認証装置を利用したシステムでは、生体認証の他にパスワードやＩＤカードによる認証を併用することもある。例えば、特許文献１に記載されたセキュリティシステムでは、非接触式カードから読み取ったカードＩＤとあらかじめ登録された登録カードＩＤとを照合するカード認証と、検出した指静脈とあらかじめ登録した静脈パターンとを照合する生体認証とを併用している。このセキュリティシステムでは、カード識別コードが一致しかつ静脈パターンが一致すると本人であると判定する（ＡＮＤ認証）方式と、カード識別コードが一致するかまたは静脈パターンが一致するかのいずれかが成立すると本人であると判定する（ＯＲ認証）方式とが行われる。
【００１０】
しかしながら、ＡＮＤ認証方式を採用すると、生体認証を行っているにも関わらず、パスワードを覚えたりカードを携行したりする必要がないという生体認証の利便性が損なわれてしまう。また、ＯＲ認証方式では、カード認証による認証結果と生体認証による認証結果とを同等に扱うことになり、生体認証による高度な安全性という利点を損なうことになる。
【００１１】
本発明の目的は、生体認証を利用する警備システムにおいて、利便性と安全性を維持しつつ、生体認証を利用できない状況に対応可能な警備システムを提供することである。
【課題を解決するための手段】
【００１２】
かかる課題を解決するための本発明の一つの実施形態によれば、センサによる監視エリア内への侵入監視を行う警戒モードおよび該侵入監視の少なくとも一部を行わない解除モードを有し、監視エリア内への入場を利用者に対して物理的に許可または禁止する入場規制部を制御する警備システムが提供される。かかる警備システムは、利用者の生体情報を取得する生体情報取得部と、利用者によって入力された識別コードを取得する識別コード取得部と、あらかじめ登録された正規利用者の生体情報および識別コードを記憶する記憶部と、生体情報取得部が取得した生体情報と記憶部に記憶された生体情報とが一致するか否かに基づいて、利用者が正規利用者であるか否かを認証する生体認証部と、識別コード取得部が取得した識別コードと記憶部に記憶された識別コードとが一致するか否かに基づいて、利用者が正規利用者であるか否かを認証する識別コード認証部と、警戒モード中、生体認証部によって利用者が正規利用者であると認証されると、監視エリア内への入場を許可するように入場規制部を制御するとともに警戒モードから解除モードに切り替え、警戒モード中、識別コード認証部によって利用者が正規利用者であると認証されると、監視エリアへの入場を許可するように入場規制部を制御するとともに警戒モードを維持する警備制御部と、を有する。
【００１３】
かかる警備システムにおいて、解除モード中、生体認証部または識別コード認証部のいずれかによって利用者が正規利用者であると認証されると解除モードから警戒モードに切り替えることが好ましい。
【００１４】
また、かかる警備システムにおいて、監視エリア内に設けられ、利用者によって入力された第２識別コードを取得する第２識別コード取得部と、第２識別コード取得部が取得した第２識別コードと記憶部にあらかじめ登録された正規利用者の第２識別コードとが一致するか否かに基づいて、利用者が正規利用者であるか否かを認証する第２識別コード認証部と、をさらに有し、警備制御部は、警戒モード中、センサによって監視エリア内への侵入が検知されたとき所定の遅延時間の計時を開始し、当該遅延時間の計時中に第２識別コード認証部によって利用者が正規利用者であると認証されたとき警戒モードから解除モードに切り替え、第２識別コード認証部によって利用者が正規利用者であると認証されることなく当該遅延時間の計時を終了したとき侵入異常であると判定することが好ましい。
【００１５】
また、かかる警備システムにおいて、監視エリア内に設けられ、利用者によって入力された第２識別コードを取得する第２コード取得部と、第２識別コード取得部が取得した第２識別コードと記憶部にあらかじめ登録された正規利用者の第２識別コードとが一致するか否かに基づいて、利用者が正規利用者であるか否かを認証する第２識別コード認証部と、をさらに有し、警備制御部は、警戒モード中、識別コード認証部によって利用者が正規利用者であると認証されたとき監視エリアへの入場を許可するように入場規制部を制御するとともに所定の遅延時間の計時を開始し、当該遅延時間の計時中に第２識別コード認証部によって利用者が正規利用者であると認証されたとき警戒モードを解除モードに切り替え、第２識別コード認証部によって利用者が正規利用者であると認証されることなく当該遅延時間の計時を終了したとき侵入異常であると判定することが好ましい。
【００１６】
また、かかる警備システムにおいて、警備制御部は、警戒モード中において、生体認証部および識別コード認証部のいずれによっても利用者が正規利用者であると認証されることなくセンサによって監視エリア内への侵入が検知された場合は、利用者による第２識別コードの入力を待つための遅延時間の計時を行うことなく即時に侵入異常であると判定することが好ましい。
【発明の効果】
【００１７】
本発明によれば、生体認証を利用する警備システムにおいて、利便性と安全性を維持しつつ、生体認証を利用できない状況に対応することができる。
【図面の簡単な説明】
【００１８】
【図１】本発明の一実施例に係る警備システムの概略構成を示すブロック図である。
【図２】操作端末における操作処理の一例を示すフローチャートである。
【図３】操作端末における操作処理の一例を示すフローチャートである。
【図４】監視端末における警戒モード中の監視処理の一例を示すフローチャートである。
【図５】監視端末における警戒モード中の監視処理の一例を示すフローチャートである。
【図６】監視端末における解除モード中の監視処理の一例を示すフローチャートである。
【発明を実施するための形態】
【００１９】
本発明は、学校、美術館、博物館もしくは図書館などの公共施設、倉庫、研究所、工場またはオフィスなどの特定の領域を監視エリアとし、この監視エリアとその周辺に設置された侵入センサによって監視エリア内への侵入を監視する警備システムに適用される。本発明の実施形態として、住宅の家屋を監視エリアとし、この監視エリアへの侵入を監視する警備システムにおける一実施例について、図面を参照しつつ説明する。
【００２０】
本発明に係る警備システムは、安全性の異なる生体認証および生体認証以外の他の認証のいずれかによって利用者が正規利用者であるか否かの認証を行い、この認証結果に従って警備システムにおける警備状態を設定する。すなわち、本警備システムは、利用者がより安全な生体認証によって認証された場合、より低い監視レベルの警備状態に設定し、利用者がより安全でない他の認証によって認証された場合、より高い監視レベルの警備状態に設定する。
【００２１】
本発明は、利用者が肌荒れや怪我などで生体認証を受けることができない場合を救済可能としつつも、警備システムの利便性と安全性を容易に維持できるようにするものである。なお、本発明は、生体認証に利用する生体情報として、指紋、掌紋、指静脈の血管パターン、顔、虹彩など種々の情報を利用できるが、本実施例では、指紋を利用する。
【００２２】
図１は、本実施例に係る警備システム１の概略構成を示すブロック図である。図１に示すように、本警備システム１は、玄関ドアなどの監視エリア１０の入口ドアに設置され家屋などの監視エリア１０内への入場を規制する電気錠２０と、玄関などの監視エリア１０の入口周辺に設置され入口からの入場を検知する入口センサ３０と、監視エリア１０の外側に設置された操作端末５０と、監視エリア１０の内側に設置された監視端末６０と、を有する。さらに、この警備システム１は、監視エリア１０の外周または内部に設置された監視エリア１０内への侵入などを検知する一つまたは複数のセンサ４０を有する。操作端末５０と監視端末６０、監視端末６０と電気錠２０、入口センサ３０およびセンサ４０との間は、それぞれ、例えば、イーサネット（登録商標）もしくは無線ＬＡＮなど所定の規格の通信回線によって接続されている。
【００２３】
警備システム１には、警備状態が異なる少なくとも２種類の警備モードがあり、警備システム１の利用者である居住者は、これらの警備モードのうち適宜状況に適した警備モードを設定して警備システム１の警備状態を切り替えることができる。本実施例では、警備モードには、少なくとも警戒モードと解除モードの２種類の警備モードがある。
【００２４】
２種類の警備モードの一つの警戒モードは、例えば、居住者が留守で監視エリア１０内が無人のときに設定され、監視エリア１０とその周辺に設置された入口センサ３０およびセンサ４０をすべて監視状態として警備システム１全体を警戒状態にする。また、警戒モード中、警備システム１は、玄関ドアの電気錠２０を施錠状態にして家屋への入場を禁止する。
【００２５】
一方、２種類の警備モードのもう一つの解除モードは、例えば、居住者が在宅で監視エリア１０内が有人のときに設定され、玄関を監視する入口センサ３０の他少なくとも一部のセンサ４０を非監視状態として、警備システム１の少なくとも一部の警戒状態を解除する。本実施例の警備システム１は、警備モードが警戒モードから解除モードに切り替わると、玄関ドアの電気錠２０を解錠して家屋への入場を許可する。また、解除モード中、警備システム１は、入口センサ３０およびセンサ４０を非監視状態とする。
【００２６】
居住者が、例えば、外出して家屋を留守にするとき、操作端末５０または監視端末６０から警備システム１に警備モードを警戒モードに設定するよう指示し、生体認証または他の認証によって正規居住者であると認証されると、警備モードは、警戒モードに設定される。一方、留守中の家屋に帰宅した居住者が、操作端末５０で生体認証によって正規居住者であると認証されると、警備モードは、解除モードに設定される。
【００２７】
監視エリア１０は、不審者の侵入を監視する監視対象エリアであり、ここでは、住宅の家屋を監視エリア１０とする。なお、監視エリア１０は、家屋などの建物に限定されず、人間が自由に出入りできないようにフェンスなどで囲まれた特定の領域でもよい。
【００２８】
電気錠２０は、玄関ドアなどの監視エリア１０の入口ドアに取り付けられ、監視端末６０から送信される制御信号に従って玄関ドアを解錠または施錠することによって、警備システム１の利用者が監視エリア１０である家屋へ入場するのを物理的に規制する。本実施例では、電気錠２０は、常時施錠状態であり、監視端末６０から解錠制御信号を受信すると一定時間だけ解錠される。解錠された電気錠２０は、解錠してから一定時間経過後、自動的に施錠される。しかしながら、本発明はこれに限定されず、電気錠２０は、例えば、電気錠２０が解錠状態になると玄関ドアは自動的に開状態となり、玄関ドアが閉状態になると電気錠２０は自動的に施錠状態になるなど、玄関ドアの開閉と連動してもよい。また、電気錠２０は、必ずしも常時施錠状態でなくてもよく、例えば、警備モードが解除モードのとき、玄関ドアの施錠および解錠は居住者がサムターンなどの操作によって行うこととしてもよい。或いは、警備モードが警戒モードに設定されたときに限って、監視端末６０が電気錠２０を自動施錠してもよい。
【００２９】
入口センサ３０は、監視エリア１０である家屋への通常の出入口である玄関ドアまたはその周辺に設けられ、玄関ドアを通して人間が監視エリア１０内へ入場すると、これを検知して発報する侵入センサである。入口センサ３０としては、例えば、玄関ドアおよびその外枠にリードスイッチおよびマグネットを設置して玄関ドアの開閉を検知する開閉検知センサや玄関ドアの両脇に設置された投光器−受光器間の赤外線が入場者により遮断されたことを検知する赤外線センサなどが用いられる。また、入口センサ３０として、監視エリア１０内の玄関付近に、人体から放射される赤外線を検出することにより監視空間に存在する人間を検知する空間センサを設置してもよい。入口センサ３０は、人間が玄関ドアを通して監視エリア１０内へ入場したことを検知すると、入口侵入検知信号を監視端末６０へ送信する。
【００３０】
センサ４０は、監視エリア１０への通常の出入口である玄関ドア以外の出入口や窓などからの侵入を監視するため監視エリア１０の外周に設置される侵入センサである。センサ４０としては、例えば、窓とその外枠にリードスイッチとマグネットを設置して窓の開閉を検知する開閉検知センサ、家屋の外周などに設置された投光器−受光器間の赤外線が入場者により遮断されたことを検知する赤外線センサ、および／または、窓などのガラスに伝わる振動を検知するガラスセンサなどが用いられる。センサ４０は、入口以外の出入口や窓などから人間が侵入したことを検知すると、侵入検知信号を監視端末６０へ送信する。
【００３１】
さらに、センサ４０として、監視エリア１０内の玄関ドア以外の出入口や窓の周辺に、監視空間に存在する人間を検知する一つまたは複数の空間センサを設置してもよい。また、空間センサは、監視エリア１０内のすべての空間を監視できるように設置されてもよい。この場合、警備システム１は、一つまたは複数の空間センサから送信されてくるすべての検知信号を監視して、監視エリア１０内に不審者が存在するか否かを判定する。なお、本発明に係る警備システム１は、人間が監視エリア１０の入口から入場したことを検知できればよいので、入口センサ３０以外のセンサ４０を有しなくてもよい。
【００３２】
操作端末５０は、例えば、外出する居住者が、警備システム１の警備モードを警戒モードに設定する退館要請を行うため、警戒指示を与えて本人確認のための指紋認証または暗証番号認証を受ける装置である。また、例えば、帰宅した居住者が、警備システム１の警備モードを解除モードに設定する入館要請を行うため、この操作端末５０によって本人確認のための指紋認証または暗証番号認証を受ける。そして、操作端末５０は、これらの認証結果にしたがって、居住者が指紋認証または暗証番号認証のいずれの認証によって退館要請または入館要請のいずれの操作を行ったかを示す情報を監視端末６０に送信する。
【００３３】
また、保守員または正規利用者は、警備システム１の導入時および変更時に、操作端末５０によって警備システム１の初期設定および設定変更などの保守作業の操作を行うことができる。なお、操作端末５０は、家屋の玄関ドアの外側や門柱などに設置されるインターホンの呼出器などに含まれてもよい。また、操作端末５０は、監視エリア１０の複数の出入口に複数台設置されてもよい。
【００３４】
図１に示すように、操作端末５０は、警戒指示部５１０と、指紋読取部５２０と、暗証番号入力部５３０と、監視端末インタフェース部５４０と、記憶部５５０と、操作制御部５６０と、を有する。
【００３５】
警戒指示部５１０は、利用者が退館要請のため警備モードを警戒モードに設定するように操作端末５０に警戒指示を与えるためのボタンなどのユーザ入力装置である。利用者が、例えば外出するとき、警戒指示部５１０であるボタンを押下すると、警戒指示部５１０は、利用者から警戒指示が入力されたことを操作制御部５６０に通知する。
【００３６】
指紋読取部５２０は、生体認証のため利用者の生体情報を読み取る生体情報読取部の一例である。本実施例では、生体情報として指紋を利用するので、指紋読取部５２０は、利用者の指紋の特徴パターンを読み取る指紋センサを有する。利用者が指紋認証を受けるため指紋読取部５２０のセンサ面に指を置くと、指紋読取部５２０は、この指を検知して撮影し指画像を取得する。なお、指紋センサは、光学式、静電容量式、電界式、感圧式、感熱式などいずれの方式で指画像を読み取ってもよい。
【００３７】
指紋読取部５２０は、撮影した利用者の指画像から指紋の特徴を表す指紋情報を取得して、操作制御部５６０に渡す。例えば、指紋読取部５２０は、撮影した指画像を二値化して指紋の隆線と谷線を区分し、さらに隆線を細線化する。そして、指紋読取部５２０は、細線化した隆線から、指紋の渦中心、三角州ならびに隆線の端点および分岐点などの特徴点を抽出し、これらの特徴点の種類、方向および位置などの特徴点に関するデータを利用者の指紋情報として取得することができる。指紋読取部５２０は、取得した指紋情報を操作制御部５６０に送る。
【００３８】
通常時、利用者は、例えば、外出時の退館要請のため、警戒指示部５１０によって操作端末５０に警戒指示を与えてから、指紋認証を受けるため指紋読取部５２０のセンサ面に自身の指を置く。また、利用者は、例えば、帰宅時の入館要請のため、警戒指示部５１０によって警戒指示を与えることなく、指紋認証を受けるため指紋読取部５２０のセンサ面に自身の指を置く。
【００３９】
暗証番号入力部５３０は、生体認証以外で認証を行うため正規利用者または操作端末５０などに固有の情報である第１識別コードを読み取る第１識別コード取得部の一例である。第１識別コードとしては、暗証番号、パスワードおよび／またはＩＤカードに記憶されたカード識別コードなど種々の情報を利用できるが、本実施例では、第１識別コードとして暗証番号を利用する。したがって、暗証番号入力部５３０は、利用者が暗証番号を操作端末５０に入力するのに用いるテンキーまたはタッチパネルなど暗証番号を入力可能なユーザ入力装置である。暗証番号入力部５３０は、利用者から暗証番号が入力されると、入力された暗証番号を操作制御部５６０に渡す。
【００４０】
利用者は、指の肌荒れや怪我などのため指紋認証を受けることができない場合など、操作端末５０において指紋認証の代わりに暗証番号認証を受けることができる。利用者は、例えば、外出時の退館要請のため、警戒指示部５１０によって操作端末５０に警戒指示を与えてから、所定の遅延時間内に暗証番号認証を受けるため暗証番号入力部５３０から暗証番号を入力する。また、利用者は、例えば、帰宅時の入館要請のため、警戒指示部５１０によって警戒指示を与えることなく、暗証番号認証を受けるため暗証番号入力部５３０から暗証番号を入力する。
【００４１】
また、保守員または利用者は、警備システム１の導入時または変更時に操作端末５０で保守作業を行うとき、操作端末５０を保守モードに切り替えるための保守コードを暗証番号入力部５３０から入力することができる。
【００４２】
監視端末インタフェース部５４０は、操作端末５０から監視端末６０へ情報を送信するための通信インタフェース部である。したがって、監視端末インタフェース部５４０は、操作端末５０と監視端末６０とを接続する通信規格に従って、例えば、イーサネット（登録商標）または無線ＬＡＮなど所定の通信規格の通信インタフェースおよびその周辺回路などを有する。監視端末インタフェース部５４０は、操作制御部５６０から入館要請または退館要請と生体認証または暗証番号認証のいずれで認証されたかを示す情報とを受け取り、受け取った情報を監視端末６０に送信する。
【００４３】
記憶部５５０は、操作端末５０が各種動作を実行するためのプログラムおよびデータを記憶し、例えばＲＡＭ、ＲＯＭおよび／またはＥＰＲＯＭなどの半導体メモリを有する。また、記憶部５５０は、ハードディスクなどの磁気記憶媒体などを含んでもよい。記憶部５５０には、監視エリア１０への入館が許可された１人または複数の正規居住者などの正規利用者の指紋の特徴を表す指紋情報があらかじめ取得されて正規利用者の生体情報として記憶されている。さらに、記憶部５５０には、警備システム１、操作端末５０または正規利用者などに対してあらかじめ設定された固有の第１識別コードである暗証番号が記憶されている。
【００４４】
例えば、保守員または利用者は、警備システム１の導入時または変更時に正規利用者の生体情報を登録または変更するため、暗証番号入力部５３０から保守コードを入力するなどして操作端末５０を保守モードにしてから、指紋読取部５２０に一人または複数の正規利用者の指紋画像を読み取らせることができる。指紋読取部５２０が読み取った指紋画像から指紋情報を取得すると、取得された指紋情報は、記憶部５５０に登録される。同様に、保守員または利用者は、正規利用者の暗証番号を登録または変更するため、操作端末５０を保守モードにして、暗証番号入力部５３０から正規利用者または警備システム１に固有の暗証番号を入力することによって、記憶部５５０に登録しておくことができる。あるいは、操作端末５０は、監視端末インタフェース部５４０などの通信インタフェース部を介して、外部記憶媒体または外部装置から送信された正規利用者の指紋情報および／または暗証番号を受信して、記憶部５５０に記憶することができる。
【００４５】
操作制御部５６０は、プロセッサとその周辺回路を含んで構成され、プロセッサが記憶部５５０に記憶された各種プログラムを実行することによって、操作端末５０の操作処理を実行する。
【００４６】
図１に示すように、操作制御部５６０は、指紋認証手段５６１０と、暗証番号認証手段５６２０と、認証結果通知手段５６３０と、を有する。操作制御部５６０は、記憶部５５０に記憶されたこれらの手段を実行するプログラムをプロセッサが実行することによって、操作端末５０の操作処理を実行する。なお、操作制御部５６０による操作処理については、後で詳述する。
【００４７】
指紋認証手段５６１０は、利用者の指紋情報を生体情報として利用して生体認証処理を実行する生体認証手段の一例である。指紋認証手段５６１０は、指紋読取部５２０が取得した利用者の指紋情報を受け取り、この利用者の指紋情報と記憶部５５０にあらかじめ記憶されている正規利用者の指紋情報とを例えばマニューシャマッチングにより照合する。そして、指紋認証手段５６１０は、利用者の指紋情報が記憶部５５０に記憶された正規利用者の指紋情報のいずれかと一致すれば利用者が正規利用者であると認証し、一致しなければ利用者が正規利用者でないと認証して、その認証結果を通知する。なお、指紋認証手段５６１０は、指紋読取部５２０から指紋読取部５２０が撮影した利用者の指画像を受け取り、この指画像から指紋の特徴点などを抽出して指紋の特徴を表す指紋情報を生成し、生成した指紋情報を記憶部６７０に記憶された正規利用者の指紋情報と照合してもよい。
【００４８】
暗証番号認証手段５６２０は、利用者が入力した暗証番号を生体情報以外の情報である第１識別コードとして利用して認証処理を実行する第１識別コード認証手段の一例である。暗証番号認証手段５６２０は、暗証番号入力部５３０から入力された暗証番号を受け取り、受け取った暗証番号と記憶部５５０にあらかじめ記憶されている正規利用者の暗証番号とを照合する。そして、暗証番号認証手段５６２０は、利用者が入力した暗証番号が記憶部５５０に記憶された正規利用者の暗証番号と一致すれば利用者が正規利用者であると認証し、一致しなければ利用者が正規利用者でないと認証して、その認証結果を通知する。
【００４９】
認証結果通知手段５６３０は、正規利用者から入館要請もしくは退館要請のいずれの要請があったかを示す情報を、利用者が指紋認証または暗証番号認証のいずれで正規利用者であると認証されたかを示す情報とともに監視端末インタフェース部５４０を介して監視端末６０に送信することによって、指紋認証または暗証番号認証によって認証された正規利用者から入館要請または退館要請があったことを監視端末６０に通知する。
【００５０】
監視端末６０は、監視エリア１０である家屋の内側に設置され、警備モードに従って、監視エリア１０の入口および外周に設置された入口センサ３０およびセンサ４０から送信される侵入検知信号を適切に処理しながら不審者による侵入異常を監視する。そして、不審者による侵入異常が発生したと判定すると、監視端末６０は、これを監視センタ（図示せず）などへ通報する。また、監視端末６０は、操作端末５０から入館要請または退館要請と利用者が生体認証または暗証番号認証のいずれで認証されたかを示す情報とを受信すると、受信した情報と警備モードに従って適切に処理する。さらに、監視端末６０によって、例えば、外出する居住者は、警備システム１の警備モードを警戒モードに設定する退館要請を行うため、警戒指示を与え本人確認のためのカード認証を受けることができる。
【００５１】
また、保守員または利用者は、警備システム１の導入時および変更時に、監視端末６０によって警備システム１の初期設定および設定変更などの保守作業の操作を行うことができる。なお、監視端末６０は、家電制御や監視カメラによる監視などを行うホームシステムの制御装置などに含まれてもよく、インターホンの応答器などに含まれてもよい。
【００５２】
図１に示すように、監視端末６０は、電気錠インタフェース部６１０と、操作端末インタフェース部６２０と、入口センサインタフェース部６３０と、センサインタフェース部６４０と、カード読取部６５０と、通報部６６０と、記憶部６７０と、監視制御部６８０と、を有する。
【００５３】
電気錠インタフェース部６１０は、監視端末６０が電気錠２０へ電気錠の制御信号を送信するための通信インタフェース部である。したがって、電気錠インタフェース部６１０は、監視端末６０と電気錠２０とを接続する通信規格に従って、例えば、イーサネット（登録商標）または無線ＬＡＮなど所定の規格の通信インタフェースおよびその周辺回路などを有する。電気錠インタフェース部６１０は、監視制御部６８０から電気錠２０を解錠または施錠する制御信号を受け取り、受け取った制御信号を電気錠２０に送信する。
【００５４】
操作端末インタフェース部６２０は、監視端末６０が操作端末５０から送信された情報を受信するための通信インタフェース部である。したがって、操作端末インタフェース部６２０は、監視端末６０と操作端末５０とを接続する通信規格に従って、例えば、イーサネット（登録商標）または無線ＬＡＮなど所定の規格の通信インタフェースおよびその周辺回路などを有する。操作端末インタフェース部６２０は、操作端末５０から入館要請または退館要請と生体認証または暗証番号認証のいずれで認証されたかを示す情報とを受信し、受信した情報を監視制御部６８０に送る。
【００５５】
入口センサインタフェース部６３０は、監視端末６０が入口センサ３０からの検知信号を受信するための通信インタフェース部である。したがって、入口センサインタフェース部６３０は、監視端末６０と入口センサ３０とを接続する通信規格に従って、例えば、イーサネット（登録商標）または無線ＬＡＮなど所定の規格の通信インタフェースおよびその周辺回路などを有する。入口センサインタフェース部６３０は、入口センサ３０が人間の侵入を検知したとき、侵入検知信号を入口センサ３０から受信し、受信した情報を監視制御部６８０に送る。
【００５６】
センサインタフェース部６４０は、監視端末６０がセンサ４０からの検知信号を受信するための通信インタフェース部である。したがって、センサインタフェース部６４０は、監視端末６０とセンサ４０とを接続する通信規格に従って、例えば、イーサネット（登録商標）または無線ＬＡＮなど所定の規格の通信インタフェースおよびその周辺回路などを有する。センサインタフェース部６４０は、センサ４０が人間の侵入を検知したとき、侵入検知信号をセンサ４０から受信し、受信した情報を監視制御部６８０に送る。
【００５７】
カード読取部６５０は、生体情報および第１識別コード以外で本人確認の認証を行うため正規利用者または監視端末６０などに固有の第２識別コードを読み取る第２識別コード取得部の一例である。第２識別コードとしては、暗証番号、パスワードおよび／またはＩＤカードなどに記憶されたカード識別コードなど種々の情報を利用できるが、本実施例では、第２識別コードとしてＩＤカードに記憶されたカード識別コードを利用する。したがって、カード読取部６５０は、利用者が携行しているＩＤカードからＩＤカードに記憶されているカード識別コードなどのカード情報を読み取るカードリーダである。
【００５８】
カード読取部６５０は、例えば、ＲＦＩＤ（Radio Frequency IDentification）リーダのように近距離無線通信により非接触でＩＤカードを読み取る非接触式カードリーダ、あるいは、磁気カードリーダのような接触式カードリーダを有する。監視エリア１０の正規利用者には、ＩＤカード固有のカード識別コードなどが記憶されたＩＤカードがあらかじめ配布されている。そして、利用者が、例えば持っているＩＤカードをカード読取部６５０にかざすと、カード読取部６５０は、このＩＤカードからＩＤカードに記憶されているカード識別コードなどのカード情報を読み取り、読み取ったカード情報を監視制御部６８０に渡す。
【００５９】
例えば、利用者は、指の肌荒れや怪我のため指紋認証を受けることができないとき、外出する際に第２識別コードが記憶されたＩＤカードを携行する。そして、利用者は、帰宅時に監視エリア１０の外側の操作端末５０で暗証番号認証によって認証されて監視エリア１０内に入場した後、さらにカード認証を受けるためＩＤカードをカード読取部６５０に読み取らせる。
【００６０】
また、利用者は、例えば、外出時の退館要請で、監視端末６０に警戒指示を与えるための警戒指示用ＩＤカードをカード読取部６５０に読み取らせる。さらに、保守員または利用者は、警備システム１の導入時または変更時に監視端末６０で保守作業を行うとき、監視端末６０を保守モードに切り替えるための保守用ＩＤカードをカード読取部６５０に読み取らせことができる。なお、本実施例では、利用者は、上述した第２識別コードが記憶されたＩＤカードを、保守用ＩＤカードおよび／または警戒指示用ＩＤカードと兼用する。
【００６１】
通報部６６０は、監視端末６０が侵入異常などの異常発生を遠隔地に設けられた監視センタ（図示せず）へ通信網などを介して通報するための外部通信インタフェース部である。したがって、通報部６６０は、監視端末６０と監視センタ（図示せず）とを接続する通信規格に従って、例えば、イーサネット（登録商標）、無線ＬＡＮ、公衆回線または専用回線などの所定の通信規格に応じた通信インタフェースおよびその周辺回路などを有する。通報部６６０は、監視制御部６８０から受け取った異常発生の通報信号を監視センタへ送信する。さらに、通報部６６０は、消防署や警察署など他の施設へ通報するための外部通信インタフェース部、または、異常が発生したことを監視エリア１０内にいる居住者に通報するためのランプ、アラーム、スピーカもしくはディスプレイなどを含んで構成されてもよく、これらを任意に組み合わせて構成されてもよい。
【００６２】
記憶部６７０は、監視端末６０が各種動作を実行するためのプログラムおよびデータを記憶し、例えばＲＡＭ、ＲＯＭおよび／またはＥＰＲＯＭなどの半導体メモリを有する。また、記憶部６７０は、ハードディスクなどの磁気記憶媒体、ならびに／あるいは、ＣＤ−ＲＯＭおよび／またはＤＶＤなどの光記憶媒体と、そのアクセス装置とを含んでもよい。記憶部６７０には、正規利用者に配布された１枚または複数のＩＤカードに記憶されているカード識別コードなどを含む正規利用者のカード情報があらかじめ記憶されている。また、記憶部６７０は、警備システム１において現在設定されている警備モードが警戒モードであるかまたは解除モードであるかを記憶する。
【００６３】
正規利用者のカード情報は、例えば、警備システム１の導入時または正規利用者のＩＤカードの追加または変更時に、保守員または利用者がカード読取部６５０に保守用ＩＤカードを読み取らせたりテンキーなどのユーザ入力装置（図示せず）から保守コードを入力したりして監視端末６０を保守モードにしてから、一枚または複数の正規利用者のＩＤカードをカード読取部６５０に読み取らせることによって、記憶部６７０に登録することができる。あるいは、監視端末６０は、操作端末インタフェース部６２０などの通信インタフェース部を介して、外部記憶媒体または外部装置からカード情報を受信して記憶部６７０に記憶してもよい。
【００６４】
監視制御部６８０は、プロセッサとその周辺回路を含んで構成され、プロセッサが記憶部６７０に記憶された各種プログラムを実行することによって、監視端末６０の監視処理を実行する。
【００６５】
図１に示すように、監視制御部６８０は、電気錠制御手段６８１０と、カード認証手段６８２０と、警告通報手段６８３０と、を有する。監視制御部６８０は、記憶部６７０に記憶されたこれらの手段を実行するプログラムをプロセッサが実行することによって、監視端末６０の監視処理を実行する。なお、監視制御部６８０による監視処理については、後で詳述する。
【００６６】
電気錠制御手段６８１０は、電気錠インタフェース部６１０を介して電気錠２０を解錠または施錠する制御信号を電気錠２０へ送信することによって、監視エリア１０の入口ドアの解錠または施錠を行い、利用者の監視エリア１０内への入場を許可または禁止する。
【００６７】
カード認証手段６８２０は、利用者のＩＤカードに記憶されているカード識別コードを生体情報および第１識別コード以外の第２識別コードとして利用して認証処理を実行する第２識別コード認証手段の一例である。カード認証手段６８２０は、カード読取部６５０が利用者のＩＤカードから読み取ったカード情報を受け取り、受け取ったカード情報と記憶部６７０にあらかじめ記憶されている正規利用者のカード情報とを照合する。そして、カード認証手段６８２０は、利用者のＩＤカードから読み取ったカード情報が記憶部６７０に記憶された正規利用者のカード情報のいずれかと一致すれば利用者が正規利用者であると認証し、一致しなければ利用者が正規利用者でないと認証して、その認証結果を通知する。
【００６８】
警告通報手段６８３０は、通報部６６０に侵入異常信号を送ることによって侵入異常が発生したことを通報する。
【００６９】
図２および図３は、操作端末５０における操作処理の一例を示すフローチャートである。図２および図３のフローチャートを参照しながら、操作端末５０の操作制御部５６０が実行する操作処理について説明する。なお、本実施例では、操作制御部５６０による操作処理は、警備モードが警戒モードの場合と解除モードの場合とで共通に行われる。
【００７０】
操作制御部５６０は、例えば、警備システム１の起動時に操作端末５０の電源が投入されたり、監視端末６０から操作開始の指示信号を受信したりすることによって、以下の操作端末５０の操作処理を開始する。
【００７１】
操作制御部５６０は、例えば、警備システム１の終了時に操作端末５０の電源が切られたり監視端末６０から警備終了の指示信号を受信したりして警備終了を指示されるまで、ステップＳ１０１０〜Ｓ１１２０の処理を繰り返す（ステップＳ１０１０）。
【００７２】
操作制御部５６０は、利用者が退館要請のため警戒指示部５１０のボタンを押下して操作端末５０に警戒指示を入力したか否かを判定する（ステップＳ１０２０）。そして、警戒指示部５１０に警戒指示が入力されていない場合（ステップＳ１０２０のＮｏ）、操作制御部５６０は、利用者が警戒指示部５１０を操作せずに指紋認証または暗証番号認証を行うことによって入館要請を指示したか否かを判定する（ステップＳ１０３０〜Ｓ１０４０）。
【００７３】
利用者が入館要請を指示したか否かを判定するため、操作制御部５６０は、指紋読取部５２０が利用者の指を検知して指紋を読み取ったか否かを調べる。指紋読取部５２０が利用者の指紋を読み取った場合、操作制御部５６０は、指紋認証手段５６１０が指紋読取部５２０から受け取った利用者の指紋情報に基づいて実行した指紋認証の結果を判定する（ステップＳ１０３０）。指紋認証手段５６１０が利用者は正規利用者であると認証した場合（ステップＳ１０３０のＹｅｓ）、操作制御部５６０は、認証結果通知手段５６３０によって正規利用者から指紋認証による入館要請があったことを監視端末６０に通知し、ステップＳ１０１０に戻る（ステップＳ１０６０）。
【００７４】
指紋読取部５２０が利用者の指紋を読み取らなかった場合、あるいは、指紋認証手段５６１０が利用者は正規利用者でないと認証した場合、すなわち、指紋認証に失敗した場合（ステップＳ１０３０のＮｏ）、操作制御部５６０は、利用者から暗証番号入力部５３０に暗証番号が入力されたか否かを調べることによって、利用者から入館要請が指示されたか否かを判定する。暗証番号入力部５３０に暗証番号が入力された場合、操作制御部５６０は、暗証番号認証手段５６２０が暗証番号入力部５３０から受け取った暗証番号に基づいて実行した暗証番号認証の結果を判定する（ステップＳ１０４０）。暗証番号認証手段５６２０が利用者は正規利用者であると認証した場合（ステップＳ１０４０のＹｅｓ）、操作制御部５６０は、認証結果通知手段５６３０によって正規利用者から暗証番号認証による入館要請があったことを監視端末６０に通知し、ステップＳ１０１０に戻る（ステップＳ１０５０）。暗証番号入力部５３０に利用者から暗証番号が入力されなかった場合、あるいは、暗証番号認証手段５６２０が利用者は正規利用者でないと認証した場合、すなわち、暗証番号認証に失敗した場合（ステップＳ１０４０のＮｏ）、操作制御部５６０は、ステップＳ１０１０に戻る。
【００７５】
上述した処理によって、操作制御部５６０は、例えば、帰宅した利用者が警戒指示部５１０の操作を行わずに指紋読取部５２０に指を置くと、利用者の指紋認証を実行し、利用者が指の肌荒れや怪我などで指紋認証を受けることができないため暗証番号入力部５３０から暗証番号を入力すると、暗証番号認証を実行する。そして、操作制御部５６０は、これらの認証によって利用者が正規利用者であると認証すれば、入館要請とともに指紋認証または暗証番号認証のいずれで認証したかを示す情報を監視端末６０に送信する。したがって、この情報を受け取った監視端末６０は、指紋認証による入館要請と暗証番号認証による入館要請とを区別することができるので、それぞれ異なる処理を実行することができる。
【００７６】
利用者から警戒指示部５１０に警戒指示が入力された場合（ステップＳ１０２０のＹｅｓ）、図３に示すように、操作制御部５６０は、利用者が指紋認証または暗証番号認証を受けるのを所定の遅延時間待機するため、退館認証タイマの計時を開始する（ステップＳ１０７０）。この遅延時間は、利用者が警戒指示部を操作してから指紋認証または暗証番号認証を受けるため指紋読取部５２０に指を置くかまたは暗証番号入力部５３０に暗証番号を入力するまでに要する時間であり、数十秒程度が好ましい。
【００７７】
操作制御部５６０は、上述のステップＳ１０３０と同様に指紋認証手段５６１０による指紋認証の結果を判定し（ステップＳ１０８０）、指紋認証に成功した場合（ステップＳ１０８０のＹｅｓ）、認証結果通知手段５６３０によって正規利用者から指紋認証による退館要請があったことを監視端末６０に通知し、ステップＳ１０１０に戻る（ステップＳ１１２０）。
【００７８】
指紋認証手段５６１０が指紋認証に失敗した場合（ステップＳ１０８０のＮｏ）、操作制御部５６０は、上述のステップＳ１０４０と同様に暗証番号認証手段５６２０による暗証番号認証の結果を判定し（ステップＳ１０９０）、暗証番号認証に成功した場合（ステップＳ１０９０のＹｅｓ）、認証結果通知手段５６３０によって正規利用者から暗証番号認証による退館要請があったことを監視端末６０に通知し、ステップＳ１０１０に戻る（ステップＳ１１１０）。なお、監視端末６０では、退館要請に関しては指紋認証であっても暗証番号認証であっても同様に処理するので、ステップＳ１１１０、ステップＳ１１２０において通知する退館要請がいずれの認証によるかを示す情報は必ずしも必要ではない。
【００７９】
暗証番号認証に失敗した場合（ステップＳ１０９０のＮｏ）、操作制御部５６０は、退館認証タイマが所定の遅延時間を経過したか否かを判定し（ステップＳ１１００）、まだ所定の遅延時間を経過していない場合（ステップＳ１１００のＮｏ）、ステップＳ１０８０に戻る。退館認証タイマが所定の遅延時間を経過した場合（ステップＳ１１００のＹｅｓ）、操作制御部５６０は、警戒指示の入力を無効とみなしてステップＳ１０１０に戻る。
【００８０】
なお、操作制御部５６０による操作制御の処理手順は上述した例に限定されず、実行される操作処理の内容が同じであれば様々な手順で実行できる。例えば、ステップＳ１０３０〜Ｓ１０４０およびステップＳ１０８０〜Ｓ１０９０の処理は、それぞれ順序を入れ替えてもよい。
【００８１】
図４および図５は、監視端末６０における警戒モード中の監視処理の一例を示すフローチャートである。図４および図５のフローチャートの実線で示した部分を参照しながら、監視端末６０の監視制御部６８０が実行する警戒モード中の監視処理について説明する。
【００８２】
後述する解除モード中の監視処理において、利用者が、操作端末５０の警戒指示部５１０または監視端末６０のカード読取部６５０もしくは警戒指示部（図示せず）によって、警備モードを警戒モードに設定するよう警備システム１に指示したとき、監視制御部６８０は、記憶部６７０に記憶されている警備モードを警戒モードに設定し、以下の警戒モード中の監視処理を開始する。
【００８３】
警戒モードに入ると、監視制御部６８０は、監視エリア１０とその周辺に設置された各種センサからの検知信号、あるいは、監視エリア１０の入口に設置された操作端末５０からの入館要請が送信されるのを待機する（ステップＳ２０１０〜Ｓ２０２０）。本実施例では、監視制御部６８０は、少なくとも入口センサインタフェース部６３０を含む各種センサインタフェース部のいずれかが接続されているセンサから検知信号を受信したか否かを判定する（ステップＳ２０１０）。
【００８４】
各種センサインタフェース部のいずれもセンサからの検知信号を受信していない場合（ステップＳ２０１０のＮｏ）、監視制御部６８０は、操作端末インタフェース部６２０が操作端末５０から入館要請に関する情報を受信したか否かを判定し（ステップＳ２０２０）、操作端末インタフェース部６２０が入館要請に関する情報を受信していない場合（ステップＳ２０２０のＮｏ）、ステップＳ２０１０に戻る。
【００８５】
操作端末インタフェース部６２０が操作端末５０から入館要請に関する情報を受信した場合（ステップＳ２０２０のＹｅｓ）、監視制御部６８０は、操作端末インタフェース部６２０が受信した情報に基づいて入館要請を行った利用者が指紋認証または暗証番号認証のいずれによって正規利用者であると認証されたかを判定する（ステップＳ２０３０）。
【００８６】
指紋認証による入館要請を受信した場合（ステップＳ２０３０の「指紋認証」）、監視制御部６８０は、指紋認証は本人確度が高いので正規利用者による入館要請であると判断する。したがって、監視制御部６８０は、電気錠制御手段６８１０によって入口ドアの電気錠を解錠して利用者の監視エリア１０内への入場を許可し（ステップＳ２０５０）、記憶部６７０に記憶されている警備モードを解除モードに設定し、解除モード中の監視処理に移行するため本処理を終了する（ステップＳ２０６０）。
【００８７】
暗証番号認証による入館要請を受信した場合（ステップＳ２０３０の「暗証番号認証」）、監視制御部６８０は、入館要請の操作を行った利用者が正規利用者であると推定できるものの、暗証番号認証の信頼性が指紋認証に比べて低いため、利用者が正規利用者でない可能性もあると判断する。したがって、監視制御部６８０は、電気錠制御手段６８１０によって入口ドアの電気錠を解錠して利用者の監視エリア１０内への入場を許可する（ステップＳ２０４０）が、警備モードは警戒モードのまま変更せずに警備システム１の警戒状態を維持する。そして、監視制御部６８０は、利用者が監視エリア１０内に入場するのを待機するためステップＳ２０１０に戻る。
【００８８】
各種センサインタフェース部のいずれかがセンサから検知信号を受信した場合（ステップＳ２０１０のＹｅｓ）、図５に示すように、監視制御部６８０は、入口センサインタフェース部６３０が入口センサ３０から侵入検知信号を受信したか否かを判定する（ステップＳ２０７０）。
【００８９】
入口センサインタフェース部６３０が入口センサ３０から侵入検知信号を受信した場合（ステップＳ２０７０のＹｅｓ）、監視制御部６８０は、暗証番号で認証されて正規利用者と推定される利用者が入口ドアから監視エリア１０内に入場したと判断することができる。そして、監視制御部６８０は、この利用者が正規利用者であればＩＤカードによる認証を受けるので、利用者がＩＤカードをカード読取部６５０に読み取らせるのを所定の遅延時間待機するため、入館ディレータイマの計時を開始する（ステップＳ２０８０）。この遅延時間は、操作端末５０で暗証番号認証を受けた利用者が監視エリア１０の入口を通過してから監視エリア１０内の監視端末６０でカード読取部６５０にＩＤカードを読み取らせるまでに要する時間であり、監視エリア１０の入口の位置と監視端末６０が設置された位置との関係によって決定することができるが、例えば、１分程度とする。
【００９０】
そして、監視制御部６８０は、暗証番号認証で監視エリア１０内に入場した利用者にさらにカード認証を実行するため、カード読取部６５０が利用者のＩＤカードを読み取ったか否かを判定する。そして、カード読取部６５０が利用者のＩＤカードを読み取った場合、監視制御部６８０は、カード認証手段６８２０がカード読取部６５０から受け取った利用者のカード情報に基づいて実行したカード認証の結果を判定する（ステップＳ２０９０）。カード認証手段６８２０が利用者は正規利用者であると認証した場合（ステップＳ２０９０のＹｅｓ）、監視制御部６８０は、記憶部６７０に記憶されている警備モードを解除モードに設定して、解除モード中の監視処理に移行するため本処理を終了する（ステップＳ２１２０）。
【００９１】
また、カード読取部６５０が利用者のＩＤカードを読み取っていない場合、または、カード認証手段６８２０が利用者は正規利用者でないと認証した場合、すなわち、カード認証に失敗した場合（ステップＳ２０９０のＮｏ）、監視制御部６８０は、入館ディレータイマが所定の遅延時間を経過したか否かを判定する（ステップＳ２１００）。入館ディレータイマが所定の遅延時間を経過していない場合（ステップＳ２１００のＮｏ）、監視制御部６８０は、ステップＳ２０９０に戻り、所定の遅延時間内にカード認証が実行されるのを待機する（ステップＳ２０９０〜Ｓ２１００のループ）。
【００９２】
利用者がＩＤカードによって正規利用者であると認証されることなく入館ディレータイマが所定の遅延時間を経過した場合（ステップＳ２１００のＹｅｓ）、監視制御部６８０は、ＩＤカードを持たない不審者による侵入異常であると判断し、警告通報手段６８３０によって侵入異常信号を通報部６６０に送って侵入異常が発生したことを通報する（ステップＳ２１１０）。
【００９３】
ステップＳ２０１０においてセンサから検知信号を受信した場合であって、検知信号を送信したのが入口センサ３０以外のセンサ４０であれば（ステップＳ２０７０のＮｏ）、監視制御部６８０は、入口ドア以外からの出入りは侵入異常であると判断する。したがって、監視制御部６８０は、警告通報手段６８３０によって侵入異常信号を通報部６６０に送って侵入異常が発生したことを通報する（ステップＳ２１１０）。
【００９４】
なお、監視制御部６８０による監視制御の処理手順は上述した例に限定されず、実行される監視処理の内容が同じであれば様々な手順で実行できる。例えば、ステップＳ２０１０〜Ｓ２０２０の処理は、順序を入れ替えてもよい。
【００９５】
上述した例では、監視制御部６８０は、指紋認証または暗証番号認証のいずれの認証も受けずに監視エリア１０内に侵入した利用者に対しても、暗証番号認証を受けた利用者と同様に、監視エリア１０内で所定の遅延時間内にカード認証を受けるのを待機する。これは、物理的な鍵を携行する利用者が、操作端末５０の操作を行わずに物理的な鍵を使用して入口ドアを解錠する場合があるからである。しかしながら、本発明は、肌荒れや怪我のため指紋認証を受けることができない利用者に対しては、指紋認証以外の暗証番号認証によって正規利用者であると確認してから監視エリア１０内への入場を許可することによって、警備システム１の利便性と安全性を維持するものである。したがって、例えば、警備システム１において物理的な鍵が使用されない場合においては、いずれの認証も受けずに監視エリア１０内に侵入した利用者を暗証番号認証を受けた利用者と区別して扱うことが好ましい。したがって、監視制御部６８０は、操作端末５０から入館要請を受信する前に入口センサ３０から侵入検知信号を受信した場合、直ちに侵入異常と判定してもよい。
【００９６】
この場合、監視制御部６８０は、図４および図５のフローチャートにおいて点線で示した箇所の処理を追加して実行する。すなわち、暗証番号認証による入館要請があった場合（ステップＳ２０３０の「暗証番号認証」）、電気錠制御手段６８１０によって入口ドアの電気錠を解錠して（ステップＳ２０４０）から、利用者の監視エリア１０内への入場を待機中であることを示すため一定の時間を経過すると自動的にＯＦＦになる入館待機フラグをＯＮに設定して（ステップＳ２０４５）、利用者が入口ドアから入場するのを待機する。そして、利用者が入口ドアから入場して入口センサインタフェース部６３０が入口センサ３０から侵入検知信号を受信したとき（ステップＳ２０７０のＹｅｓ）、入館待機フラグがＯＮに設定されているか否かを判定する（ステップＳ２０７５）。そして、入館待機フラグがＯＮの場合、すなわち、利用者が暗証番号認証を受けて入館要請を行った後監視エリア１０内に入場した場合（ステップＳ２０７５のＹｅｓ）、カード認証を実行するため入館ディレータイマの計時を開始する（ステップＳ２０８０）。一方、入館待機フラグがＯＦＦの場合、すなわち、利用者がいずれの認証も受けずに監視エリア１０内に侵入した場合（ステップＳ２０７５のＮｏ）、入館ディレータイマの計時を開始せずに直ちに侵入異常と判定してこれを通報部６６０に通報する（ステップＳ２１１０）。
【００９７】
また、上述の例において、監視制御部６８０は、暗証番号認証による入館要請があった場合、入口センサ３０が利用者の入場を検知したとき（ステップＳ２０７０のＹｅｓ）、入館ディレータイマの計時を開始する（ステップＳ２０８０）が、本発明はこれに限定さない。例えば、監視制御部６８０は、操作端末５０から操作端末インタフェース部６２０を介して暗証番号認証による入館要請を受信した（ステップＳ２０３０の「暗証番号認証」）直後に電気錠制御手段６８１０によって入口ドアの電気錠２０を解錠する（ステップＳ２０４０）とともに入館ディレータイマの計時を開始してもよい。この場合、監視制御部６８０は、入口センサ３０が利用者の入場を検知することなく入館ディレータイマが所定の遅延時間を経過すれば、侵入異常と判定しない。そして、監視制御部６８０は、入口センサ３０が利用者の入場を検知しかつ利用者のカード認証に成功する前に入館ディレータイマが所定の遅延時間を経過すると、侵入異常と判定する。
【００９８】
図６は、監視端末６０における解除モード中の監視処理の一例を示すフローチャートである。図６のフローチャートを参照しながら、監視端末６０の監視制御部６８０が実行する解除モード中の監視処理について説明する。
【００９９】
上述したように、監視制御部６８０が警戒モード中の監視処理で警備モードを解除モードに切り替えた後、あるいは、監視端末６０に電源が投入されると、監視制御部６８０は、解除モードの監視処理を開始する。
【０１００】
解除モードに入ると、監視制御部６８０は、操作端末５０からの入館要請または退館要請、あるいは、監視端末６０自体での退館要請があるまで待機する（ステップＳ３０１０〜Ｓ３０２０のループ）。上述したように、操作端末５０において、利用者から入館要請または退館要請の指示が操作された場合、操作端末５０は、利用者の指紋認証または暗証番号認証を実行し、入館要請または退館要請とともにいずれの認証を行ったかを示す情報を監視端末６０に送信する。一方、監視端末６０において、例えば、外出する利用者は、監視端末６０のカード読取部６５０または警戒指示部（図示せず）に警戒指示の操作を行ってから、ＩＤカードによるカード認証によって退館要請の認証を受けるためカード読取部６５０に自身のＩＤカードを読み取らせる。これに応じて、監視制御部６８０は、所定の遅延時間内にカード認証手段６８２０によって利用者が正規利用者であると認証すれば、正規利用者からのカード認証による退館要請があったと判断する。また、監視制御部６８０は、カード認証手段６８２０によって利用者が正規利用者であると認証することなく所定の遅延時間が経過すれば、正規利用者からのカード認証による退館要請はなかったと判断する。この遅延時間は、利用者が警戒指示部を操作してからカード認証を受けるためカード読取部６５０にカードを読み取らせるまでに要する時間であり、数十秒程度が好ましい。なお、監視制御部６８０は、監視端末６０で指紋認証、暗証番号認証またはパスワード認証などカード認証以外の認証が実行可能であれば、これらのいずれかの認証によって退館要請の認証を実行してもよい。
【０１０１】
空間センサが監視エリア内のすべての空間を監視できるように設置されている場合、監視制御部６８０は、外出する居住者から操作端末５０または監視端末６０に警戒指示が与えられなくても、空間センサからの検知信号によって監視エリア１０内が無人になったことを確認すれば、自動的に退館要請があったと判断してもよい。
【０１０２】
操作端末インタフェース部６２０が操作端末５０から入館要請を受信した場合（ステップＳ３０１０のＹｅｓ）、監視制御部６８０は、警戒モード中とは異なり警戒解除は行わないので、指紋認証または暗証番号認証のいずれに基づく入館要請であっても同様に監視エリア１０内への入場を許可する。したがって、監視制御部６８０は、電気錠制御手段６８１０によって入口ドアの電気錠２０を解錠し（ステップＳ３０３０）、記憶部６７０に記憶されている警備モードを解除モードに維持したまま解除モードの処理の先頭（ステップＳ３０１０）に戻る。
【０１０３】
操作端末インタフェース部６２０が操作端末５０から退館要請を受信した場合、または、監視端末６０で退館要請があった場合（ステップＳ３０２０のＹｅｓ）、監視制御部６８０は、退館要請のための認証の種類によって利用者が操作端末５０または監視端末６０のいずれで退館要請を行ったかを判定する（ステップＳ３０４０）。
【０１０４】
退館要請を行った利用者がカード認証によって正規利用者であると認証された場合（ステップＳ３０４０のＹｅｓ）、利用者は監視エリア１０の内側である屋内に設置された監視端末６０で退館要請の操作を行っているので、監視制御部６８０は、例えば、利用者が屋内の監視端末６０から玄関ドアを通って屋外に出るまで待機する。このため、監視制御部６８０は、退館ディレータイマの計時を開始して（ステップＳ３０５０）、退館ディレータイマが所定の遅延時間を経過するまで待機する（ステップＳ３０６０）。この遅延時間は、利用者が監視エリア１０内の監視端末６０から監視エリア１０の外側に出るのに要する時間であり、監視エリア１０の入口の位置と監視端末６０が設置された位置との関係によって決定することができるが、例えば、１分程度とする。
【０１０５】
退館ディレータイマが所定の遅延時間を経過した場合（ステップＳ３０６０のＹｅｓ）、利用者は、監視エリア１０の外側に出たと思われるので、監視制御部６８０は、電気錠制御手段６８１０によって入口ドアの電気錠２０を施錠して監視エリア１０内への入場を禁止し（ステップＳ３０７０）、記憶部６７０に記憶されている警備モードを警戒モードに設定して、警戒モード中の監視処理に移行するため本処理を終了する（ステップＳ３０８０）。
【０１０６】
また、退館要請を行った利用者がカード認証以外の指紋認証または暗証番号認証によって正規利用者であると認証された場合（ステップＳ３０４０のＮｏ）、利用者は、監視エリア１０の外側の操作端末５０で退館要請の操作を行っているので既に監視エリア１０の外側にいる。したがって、監視制御部６８０は、直ちに電気錠制御手段６８１０によって入口ドアの電気錠２０を施錠し（ステップＳ３０７０）、記憶部６７０に記憶されている警備モードを警戒モードに設定して、警戒モード中の監視処理に移行するため本処理を終了する（ステップＳ３０８０）。
【０１０７】
ここで、退館要請は、監視エリア１０を警戒状態にするものであり、正規利用者以外の者が不正操作を行ったとしても警備モードが警戒モードに設定されるため、不正な侵入行為などが発生する危険性は高くない。したがって、本人確認のための認証確度に関係なく、操作端末５０での指紋認証または暗証番号認証のいずれに基づく退館要請であっても、同様に警備モードが警戒モードに設定されるようにしている。
【０１０８】
以上説明してきたように、本発明が適用された警備システムは、利用者の病気、怪我、肌荒れまたはあかぎれなどによって生体情報が変化し、生体認証が行えない場合でも、正規利用者であれば救済することができ、かつ、生体認証の安全性と利便性を維持することができる。
【０１０９】
また、本警備システムは、本人確認の確度の高い生体認証で正規利用者であると認証された利用者の入館要請に関しては、監視エリアへの入場を許可するとともに警備モードを警戒モードから解除モードに切り替える。一方、この警備システムは、暗証番号認証など生体認証より確度が低い認証である第１識別コード認証で認証された利用者の入館要請に関しては、監視エリアへの入場は許可するが、警備モードは警戒モードのまま維持する。この場合、本警備システムは、カード認証などさらに他の認証である第２識別コード認証を利用者に課すことによって、高い安全性を維持することできる。したがって、警備システムは、例えば、犯罪者が不正に入手した暗証番号などを使って操作端末を操作し、監視エリア内への入場が許可されたとしても、警戒モードを解除モードに切り替える警備解除用のＩＤカードを所持していなければ、警戒モードが解除されず、侵入異常の発生が監視センタなどに通報される。
【０１１０】
さらに、本発明によれば、利用者は、生体認証を利用できないときのみ暗証番号を記憶してＩＤカードを携行すればよいので、通常は、生体認証による利便性を享受できる。また、利用者は、生体認証を利用できないときでも、暗証番号を記憶してＩＤカードを携行するだけで警備システムを利用することができ、自身の生体情報を登録し直すなどの煩雑な操作を行う必要がない。
【０１１１】
このように、本発明が適用された警備システムでは、入館要請では、安全性を重視して、認証確度が異なる指紋認証と暗証番号認証とでは解除モードへ移行する条件を異ならせるが、退館要請では、利便性を重視して、指紋認証と暗証番号認証とを同等に扱うため、利便性と安全性を兼ね備えた運用が実現される。
【０１１２】
以上、本発明の好適な実施形態について説明してきたが、本発明はこれらの実施形態に限定されるものではない。例えば、上記実施例の警備システムにおいて、指紋認証手段、暗証番号認証手段など操作端末の操作制御部の少なくとも一部の機能は、監視端末の監視制御部に含まれてもよい。これにともない、正規利用者の指紋情報、暗証番号などは、監視端末の記憶部に記憶されてもよい。また、電気錠制御手段、カード認証手段、警告通報手段など監視制御部の少なくとも一部の機能は、操作端末の操作制御部に含まれてもよい。これにともない、正規利用者のカード情報などは、操作端末の記憶部に記憶されてもよい。なお、操作制御部と監視制御部とを併せて、警備制御部ということができる。上記以外にも、警備システムの構成に従って、操作端末の少なくとも一部の構成が監視端末に備えられ、監視端末の少なくとも一部の構成が操作端末に備えられることがある。
【０１１３】
また、利用者は、操作端末および監視端末で実行する第１識別コード認証および第２識別コード認証の両方において、第１識別コードおよび第２識別コードが記憶されたＩＤカードを利用することができる。この場合、警備システムの安全性を考慮して、第１識別コードおよび第２識別コードは、互いに異なるコードで、それぞれ別のＩＤカードに記憶されることが好ましい。さらに、第１識別コードおよび第２識別コードは、それぞれ異なる方式でＩＤカードに記憶され、それぞれのＩＤカードを読み取るカードリーダは、他方のＩＤカードを読み取れないことが好ましい。また、第２識別コードとして、ＩＤカードのカード識別コードとパスワードとを併用することによって、警備システムの安全性をより高くすることができる。
【符号の説明】
【０１１４】
１    警備システム
１０    監視エリア
２０    電気錠
３０    入口センサ
４０    センサ
５０    操作端末
６０    監視端末
５１０    警戒指示部
５２０    指紋読取部
５３０    暗証番号入力部
５４０    監視端末インタフェース部
５５０    記憶部
５６０    操作制御部
６１０    電気錠インタフェース部
６２０    操作端末インタフェース部
６３０    入口センサインタフェース部
６４０    センサインタフェース部
６５０    カード読取部
６６０    通報部
６７０    記憶部
６８０    監視制御部
５６１０    指紋認証手段
５６２０    暗証番号認証手段
５６３０    認証結果通知手段
６８１０    電気錠制御手段
６８２０    カード認証手段
６８３０    警告通報手段
【図１】
0005748424.tif 000002
【図２】
0005748424.tif 000003
【図３】
0005748424.tif 000004
【図４】
0005748424.tif 000005
【図５】
0005748424.tif 000006
【図６】
0005748424.tif 000007